(57)【要約】【課題】  プラスチック袋において、例えば、穴明きや破損等の不良品が生じた場合に、その不良プラスチック袋に表示された製造履歴番号を基にして、その不良プラスチック袋の製造状態を映像で確認できるようにしたプラスチック袋製造履歴確認装置の提供。【解決手段】  プラスチック袋製造ラインＬの途中に、少なくとも製造日付（製造年月日及び製造時刻）を表す製造履歴番号Ａをプラスチック袋１枚毎に印刷させる印字部３を設け、プラスチック袋製造ラインの途中の１ヶ所又は複数ヶ所に製造状態を撮影するカメラＫが配設され、このカメラで撮影した映像に少なくとも撮影日付Ｂ（撮影年月日及び撮影時刻）を表示させるように記録媒体７０に録画させる録画装置７が設けられている。【選択図】  図１
2006185087.tif 000002
【特許請求の範囲】
【請求項１】
プラスチック袋製造ラインの途中に、少なくとも製造日付を表す製造日付表示手段をプラスチック袋１枚毎に付すための日付付設部を設け、
このプラスチック袋製造ラインの途中の１ヶ所又は複数ヶ所に製造状態を撮影するカメラが配設され、
このカメラで撮影した映像に少なくとも撮影日付を表示させるように記録媒体に録画させる録画装置が設けられていることを特徴とするプラスチック袋製造履歴確認装置。
【請求項２】
請求項１記載のプラスチック袋製造履歴確認装置において、
製造日付表示手段が、少なくとも製造日付を表す製造履歴番号であり、日付付設部が前記製造履歴番号をプラスチック袋１枚毎に印刷させる印字部であるプラスチック袋製造履歴確認装置。
【請求項３】
プラスチック袋製造ラインの途中に、少なくとも製造日付を表す製造日付表示手段をプラスチック袋１枚毎に付すための日付付設部を設け、
このプラスチック袋製造ラインの途中の１ヶ所又は複数ヶ所に製造状態を撮影するカメラを配設させ、
このカメラで撮影した映像を録画装置で記録媒体に録画させると共に、その録画に際し、少なくとも撮影日付を表示させるように録画させることを特徴とするプラスチック袋製造履歴確認方法。
【請求項４】
請求項３記載のプラスチック袋製造履歴確認方法において、前記録画装置で記録媒体に記録した映像の中から特定のプラスチック袋の製造状態を含む映像場面を選択して、その選択映像場面を他の記録媒体にコピーさせるようにしたプラスチック袋製造履歴確認方法。
【請求項５】
請求項３記載のプラスチック袋製造履歴確認方法において、前記録画装置で記録媒体に記録した映像の中から特定のプラスチック袋の製造状態を含む映像場面を選択して、その選択映像場面を、配信装置を備えたサーバーに入力させて記憶させ、利用者からのアクセスに応じて記憶させた映像場面を配信させるようにしたプラスチック袋製造履歴確認方法。
【発明の詳細な説明】
【技術分野】
【０００１】
本発明は、例えば、プラスチック袋（ゴミ袋等）の不良品が発見された場合等に、その不良プラスチック袋の製造状態を映像で確認できるようにしたプラスチック袋製造履歴確認装置及びプラスチック袋製造履歴確認方法に関する。
【背景技術】
【０００２】
従来、袋の一部に製造履歴情報（ロットナンバー等）を表示させるようにした包装袋が知られている（特許文献１参照）。
このように、商品に製造履歴情報を表示し、この製造履歴情報を基にして製造会社名や製造日付（製造年月日及び製造時刻）等の製造情報を確認できるようにすることは、周知の技術である。
【０００３】
しかしながら、従来では、製造履歴情報の表示から製造情報を読み取るだけのものであり、例えば、不良品が生じた場合に、その不良品をいつ、どこで、どの機械で製造したかという履歴を確認できるが、その不良品が発生した時の製造状態を確認することはできず、不良品発生の原因究明や不良品個数の把握が困難になるという問題があった。
【特許文献１】特許公開２００４−５９０４４号公報
【発明の開示】
【発明が解決しようとする課題】
【０００４】
本発明は、プラスチック袋において、例えば、穴明きや破損等の不良品が生じた場合に、その不良プラスチック袋に表示された製造履歴番号を基にして、その不良プラスチック袋の製造状態を映像で確認できるようにしたプラスチック袋製造履歴確認装置及びプラスチック袋製造履歴確認方法を提供することを課題としている。
【課題を解決するための手段】
【０００５】
上記の課題を解決するために、本発明（請求項１）のプラスチック袋製造履歴確認装置は、
プラスチック袋製造ラインの途中に、少なくとも製造日付（製造年月日及び製造時刻）を表す製造日付表示手段をプラスチック袋１枚毎に付すための日付付設部を設け、
このプラスチック袋製造ラインの途中の１ヶ所又は複数ヶ所に製造状態を撮影するカメラが配設され、
このカメラで撮影した映像に少なくとも撮影日付（撮影年月日及び撮影時刻）を表示させるように記録媒体に録画させる録画装置が設けられている構成とした。
【０００６】
又、本発明（請求項２）のプラスチック袋製造履歴確認装置は、
請求項１記載のプラスチック袋製造履歴確認装置において、
製造日付表示手段が、少なくとも製造日付を表す製造履歴番号であり、日付付設部が前記製造履歴番号をプラスチック袋１枚毎に印刷させる印字部である態様とした。
【０００７】
又、本発明（請求項３）のプラスチック袋製造履歴確認方法は、
プラスチック袋製造ラインの途中に、少なくとも製造日付（製造年月日及び製造時刻）を表す製造日付表示手段（製造履歴番号）をプラスチック袋１枚毎に付すための日付付設部（印字部）を設け、
このプラスチック袋製造ラインの途中の１ヶ所又は複数ヶ所に製造状態を撮影するカメラを配設させ、
このカメラで撮影した映像を録画装置で記録媒体に録画させると共に、その録画に際し、少なくとも撮影日付（撮影年月日及び撮影時刻）を表示させるように録画させる構成とした。
【０００８】
又、本発明（請求項４）のプラスチック袋製造履歴確認方法は、
前記請求項３記載のプラスチック袋製造履歴確認方法において、前記録画装置で記録媒体に記録した映像の中から特定のプラスチック袋の製造状態を含む映像場面を選択して、その選択映像場面を他の記録媒体にコピーさせるようにした実施態様とした。
【０００９】
又、本発明（請求項５）のプラスチック袋製造履歴確認方法は、
請求項３記載のプラスチック袋製造履歴確認方法において、前記録画装置で記録媒体に記録した映像の中から特定のプラスチック袋の製造状態を含む映像場面を選択して、その選択映像場面を、配信装置を備えたサーバーに入力させて記憶させ、利用者からのアクセスに応じて記憶させた映像場面を配信させるようにした実施態様とした。
【発明の効果】
【００１０】
本発明のプラスチック袋製造履歴確認装置及び確認方法では、例えば、穴明きや破損等の不良品が生じた場合に、その不良プラスチック袋に表示された製造履歴番号を基にして、その不良プラスチック袋の製造状態を映像で確認することができ、これにより、不良品発生の原因究明や不良プラスチック袋の枚数把握が可能になる。
【発明を実施するための最良の形態】
【００１１】
図１は本発明のゴミ袋製造履歴確認装置の説明図、図２はこのゴミ袋製造履歴確認装置を適用したゴミ袋製造ラインによって製造したロール状ゴミ袋の斜視図である。
この実施例は、図２で示すように、ロール状ゴミ袋１を構成する各ゴミ袋１０をプラスチック袋の例としている。
【００１２】
図２で示すロール状ゴミ袋１は、多数枚（実施例では２０枚）のゴミ袋１０がミシン目切取線１１を介して一連に連結されたもので、長尺筒状フイルム１２に一定間隔毎に溶着シール１３を形成し、この溶着シール１３に近接してミシン目切取線１１を形成してロール状に巻き取ったものである。
従って、前記切取線１１から切断することにより、上端に開口部１４が形成されると共に、溶着シール１３によって底端が閉鎖したゴミ袋１０を得ることができる。
【００１３】
又、前記ロール状ゴミ袋１の各ゴミ袋１０には、製造履歴番号Ａがゴミ袋１枚毎に印刷されている。
この製造履歴番号Ａは、少なくとも製造日付を表す製造日付表示手段となるもので、当該ゴミ袋１０の製造日付（製造年月日及び製造時刻）、製造機械番号、製造担当者名、製造担当者別生産枚数を、数字によって表示させたもので、言い換えれば、この製造履歴番号Ａを読み取ることで、当該ゴミ袋１０の製造日付（製造年月日及び製造時刻）、製造機械番号、製造担当者名、製造担当者別生産枚数が判明する。
【００１４】
前記ロール状ゴミ袋１の製造ラインＬは、図１に示すように、原料２０をフィルム成形機２１で溶解して長尺筒状フイルム１２に成形する成形工程２と、この成形工程２で成形された長尺筒状フイルム１２に印刷機３０で所定デザイン等を印刷させる印刷工程３と、この印刷工程３を経た長尺筒状フイルム１２に製袋機４０で溶着シール１３及びミシン目切取線１１を形成させるシール工程４と、このシール工程４を経た長尺筒状フイルム１２を巻取り機５０で巻き取る包装工程５と、この包装工程５を経たロール状ゴミ袋１の重量を重量検査機６０で検査する計量工程６を備えている。
そして、前記製造履歴番号Ａをプラスチック袋１枚毎に付すための日付付設部として、前記シール工程４に、製造履歴番号Ａを印字させる印字部４ａが設けられている。
【００１５】
前記製造ラインＬにおける成形工程２と、シール工程４と、包装工程５と、計量工程６に、その各工程における製造状態を撮影する４台のカメラＫが配設されている。
前記４台の各カメラＫは、録画装置７（ビデオデッキ等）に接続され、各カメラＫで撮影された映像を録画装置７に挿入した記録媒体７０（例えば、磁気テープ）に録画させるようになっている。
この場合、各カメラＫの映像を記録媒体７０に録画させると同時に、撮影日付Ｂ（撮影年月日及び撮影時刻）を表示させるようになっている。
【００１６】
なお、各カメラＫの映像は、１つの画面を４分割した各分割画面に表示されるもので、録画装置７に接続したディスプレイ８によって録画と同時にモニターできるようになっている。
【００１７】
前記カメラＫには、ビデオカメラやデジタルカメラを使用できるもので、１秒間に１コマの間欠撮影を製造ラインＬの稼動中において連続して撮影させるように設定されている。
このように、１秒間に１コマの間欠撮影を行なうと、記録媒体７０の１個当りの録画時間を長時間にすることができ、録画済記録媒体の管理が容易になる。
【００１８】
このようにして、録画した記録媒体７０は、外部から録画日付が判るような表記を付して所定の期間（例えば、５年間）保管しておき、必要に応じて取り出せるようにしておくものである。
【００１９】
次に、本実施例のゴミ袋製造履歴確認方法を説明する。
ゴミ袋製造ラインＬによって製造されたゴミ袋１０には、印字部４ａによって１枚毎に製造日付（製造年月日及び製造時刻）を表示した製造履歴番号Ａが印刷されている。
【００２０】
又、ゴミ袋製造ラインＬには、製造状態を撮影する４台のカメラＫが配設されており、このカメラＫで撮影した映像は、撮影日付Ｂ（撮影年月日及び撮影時刻）を表示して記録媒体７０（磁気テープ等）に録画されている。
【００２１】
そして、ゴミ袋１０の製造終了後や出荷後において、例えば、穴明きや破損等の不良品が発見された場合、その不良ゴミ袋に表示されている製造履歴番号Ａを基に、その製造日付を判読する。
このようにして、製造履歴番号Ａから当該不良ゴミ袋の製造日付が判明するため、この製造日付に対応した撮影日付Ｂの映像が記録されている記録媒体７０を取り出し、これを再生させれば、当該不良ゴミ袋の製造状態を映像によって確認することができ、これにより、不良品発生の原因究明が可能になる。
【００２２】
又、ゴミ袋の製造は、通常、１ロットが数百万枚に及ぶもので、ここで不良ゴミ袋が発生した場合、その不良ゴミ袋が１枚だけなのか数万枚に及ぶのか、又、成形工程２で発生したのかシール工程４で発生したのか等、その不良枚数や不良発生工程を把握することが、製造管理の混乱を防止する上で必要になる。
このような場合においても、本発明では、不良ゴミ袋の製造状態を映像によって確認することができるため、どこの工程で、何枚の不良ゴミ袋が発生したのかを映像で把握でき、的確な製造管理を行なうことができる。
【００２３】
又、録画装置７で記録媒体７０に記録した映像の中から特定のゴミ袋、例えば、不良ゴミ袋の製造状態を含む映像場面を他の記録媒体（例えば、ＤＶＤ等）にコピーさせるようにしている。
この場合、不良ゴミ袋の製造日付に対応した撮影日付Ｂの映像の前後１０分間程度の映像場面を他の記録媒体にコピーさせて、これを不良ゴミ袋の製造ファイルとして保存することができる。
また、必要に応じて、不良ゴミ袋を発見した消費者等（利用者）に対し、前記した不良ゴミ袋の製造状態を含む映像場面をコピーした記録媒体を提供すれば、消費者等が不良ゴミ袋の製造状態を映像によって確認することができる。
【００２４】
又、前記した不良ゴミ袋の製造状態を含む映像場面を、配信装置を有するサーバーに入力させて記憶させておく。
そして、消費者等（利用者）に対してログインコード等を通知し、そのログインコードによりサーバーにアクセスしてもらえば、インターネットを通じて映像場面を配信させることができ、消費者等が不良ゴミ袋の製造状態を映像によって確認することができる。
【００２５】
なお、前記した映像コピーやインターネットを通じた映像配信は、周知の技術を用いて行なうもので、詳細は省略する。
【００２６】
本発明において、プラスチック袋としては、ゴミ袋に限らず、レジ袋やその他のブラスチック袋を対象にできる。
また、ロール状巻き取ったプラスチック袋に限らず、例えば、１枚づつ重ねて多数枚（例えば、１０枚、２０枚、３０枚等）の束にして包装したしたものでもよい。
又、カメラの台数についても、少なくとも１台のカメラを製造ラインの途中の１ヶ所配設しておけばよい。
【図面の簡単な説明】
【００２７】
【図１】本発明のゴミ袋製造履歴確認装置の説明図である。
【図２】このゴミ袋製造履歴確認装置を適用したゴミ袋製造ラインによって製造したロール状ゴミ袋の斜視図である。
【符号の説明】
【００２８】
１  ロール状ゴミ袋
１０  ゴミ袋
１１  ミシン目切取線
１２  長尺筒状フイルム
１３  溶着シール
１４  開口部
２  成形工程
２０  原料
２１  フィルム成形機
３  印刷工程
３０  印刷機
４  シール工程
４ａ  印字部（日付付設部）
４０  製袋機
５  包装工程
５０  巻取り機
６  計量工程
６０  重量検査機
７  録画装置
７０  記録媒体
８  ディスプレイ
Ａ  製造履歴番号（製造日付表示手段）
Ｂ  撮影日付
Ｋ  カメラ
Ｌ  ゴミ袋製造ライン（プラスチック袋製造ライン）
【図１】
2006185087.tif 000003
【図２】
2006185087.tif 000004